(57)【特許請求の範囲】
【請求項１】
靴の中敷きとして使用されるインナーソールであって、
当該インナーソールの上面を前足部、中足部、後足部の３つの領域に区分けして、前記前足部の領域の内側部に、当該インナーソールの上面から上側に、或いは、下面から下側に突出し、平面視で母趾の外周を包むようにして配置された内側前足部凸部群を設け、
前記内側前足部凸部群は、足の母趾及び２趾の間の基節骨部付近に配置された第１凸部と、前記第１凸部からつま先方向に延びる第２凸部と、前記第１凸部から母趾基節骨を横断するように母趾方向に延びる第３凸部と、母趾球後側縁付近に沿うよう配置された第４凸部と、母趾球後側縁付近から当該インナーソールの内側縁の湾曲に沿って配置された第５凸部と、のいずれか１つまたは２つ以上の組み合わせによって構成されることを特徴とするインナーソール。
【請求項２】
請求項１に記載の内側前足部凸部群をミッドソールとして具備したことを特徴とする履物。
【発明の詳細な説明】
【技術分野】
【０００１】
本発明は、靴の中敷きとして装着されるインナーソール、または、ミッドソールを有する履物に関する。
【背景技術】
【０００２】
従来、靴の内部に装着されるインナーソール（足底板、矯正中敷きともいう）としては、足のアーチ部の中央に特殊な高さを持たせたものがよく知られている。例えば、特許文献１の技術では、立方骨（アーチ部）を足底から支持する凸部を設けることで、踵骨前部を支持し、踵骨を含む足根骨全体が自然な状態で安定するようにしている。
【先行技術文献】
【特許文献】
【０００３】
【特許文献１】特許第５４９８６３１号明細書
【発明の概要】
【発明が解決しようとする課題】
【０００４】
従来のインナーソールは、足の裏のアーチをただ漠然と支えることに重きを置いているものが多い。しかしながら、このアーチ形状の厚さをミリ単位で調整したり、足趾部に特定の形状を設置して、足趾の使い方、蹴り出す方向、及び蹴り出し力を調整することで、身体重心運動を意図的に制御することに特化したインナーソール形状は存在しない。
【０００５】
本発明は、上述した事情を鑑みてなされたものであり、その目的は、母趾付近の特定の部位で蹴り出すことを促したり、蹴り出し力を向上させるためのインナーソールを提供することにある。
【課題を解決するための手段】
【０００６】
上述課題を解決するため、本発明は、靴の中敷きとして使用されるインナーソールであって、当該インナーソールの上面を前足部、中足部、後足部の３つの領域に区分けして、前記前足部の領域の内側部に、当該インナーソールの上面から上側に、或いは、下面から下側に突出し、平面視で母趾の外周を包むようにして配置された内側前足部凸部群を設け、前記内側前足部凸部群は、足の母趾及び２趾の間の基節骨部付近に配置された第１凸部と、前記第１凸部からつま先方向に延びる第２凸部と、前記第１凸部から母趾基節骨を横断するように母趾方向に延びる第３凸部と、母趾球後側縁付近に沿うよう配置された第４凸部と、母趾球後側縁付近から当該インナーソールの内側縁の湾曲に沿って配置された第５凸部と、のいずれか１つまたは２つ以上の組み合わせによって構成されていることを特徴とする。
【０００８】
一方、本発明に係る履物は、請求項１に記載の内側前足部凸部群をミッドソールとして具備したことを特徴とする。
【発明の効果】
【０００９】
本発明に係るインナーソール、および履物は、インナーソールの上面を前足部、中足部、後足部の３つの領域に区分けして、前足部の領域の内側部に、インナーソールの上面から上側に、或いは、下面から下側に突出し、平面視で母趾の外周を包むようにして配置された内側前足部凸部群を設けることで、母趾付近の特定の部位で蹴り出すことを促したり、蹴り出し力を向上させることができる。
【図面の簡単な説明】
【００１０】
【図１】身体重心と床反力を説明する概要図である。
【図２】ＣＯＰと身体重心の移動軌跡を示す概要図である。
【図３】本発明の実施の形態に係るインナーソールの単体図であって、（Ａ）は平面図、（Ｂ）は（Ａ）の右側面図である。
【図４】図３のＸ部の拡大図である。
【図５】人の足骨の平面図である。
【図６】平面視で人の足骨と第１〜第５凸部との位置関係を示す概要図である。
【図７】筋長と張力の関係を示すグラフ図である。
【発明を実施するための最良の形態】
【００１１】
人が日常行う全ての動作は、身体重心２６を制御する運動である。この身体重心２６を制御するために生体力学（バイオメカニクス）的に重要になるのがＣＯＰ（Ｃｅｎｔｅｒ  ｏｆ  Ｐｒｅｓｓｕｒｅ）である。まずは、このＣＯＰについて簡単に説明する。なお、図１はヒトの立位における身体重心とＣＯＰの関係性の視覚的理解を容易にする目的で、上半身を除去したロボットの様な模擬身体が、半楕円形に近い形状の物体の上で静止している状態を示している。
【００１２】
図１に示すように、人の身体重心２６から重力方向に作用する力Ｗ１は、模擬股関節２２、模擬膝関節２３、および模擬足関節２４を介して足２５へ伝達され、足２５から足裏の物体を介し床に作用する。一方、足２５の裏全体には、足裏の物体を介して床から受ける反力（以下、床反力Ｗ２という）が生じる。
【００１３】
ＣＯＰとは、足２５の裏と物体との接触面全体に作用する力の合成ベクトル（床反力Ｗ２）の起始点として科学的計算上では広く用いられている。そして、このＣＯＰから生じる床反力Ｗ２の大きさと方向により、身体重心運動を含め全身の各関節の運動が物理的に決定される。歩行時における理想的なＣＯＰの移動軌跡は図２の足ＬＦ、ＬＲ上に描かれた線Ｙで示される。この個人間で差のあるＣＯＰの移動軌跡Ｙを最適化させることで、歩き方の改善や痛みの軽減だけでなく、スポーツのパフォーマンスを向上させることも物理的に可能となる。
【００１４】
また、スポーツや日常行う動作のほとんどのＣＯＰは足の踵部あるいは、踵付近より起こり（以下、ＣＯＰ起点）、終わり（ＣＯＰ終点）はつま先部分であることが多い。例えば、通常歩行では、踵から接地し、母趾と２趾の間部がＣＯＰ終点であることが理想的と言える。また、ゴルフスイング時のダーゲットから遠位側の足（通常右足）では母趾内側部がＣＯＰ終点であることが理想的と言える。このように、ＣＯＰ終点がどの趾付近なのか、或いは、趾のどの特定の部位なのかで蹴り出しの強さや方向が決定され、それにより生じた力により、身体重心の進む方向や速度が決定され身体の動きが形成される。
【００１５】
解剖学的、運動学的にはＣＯＰ終点は母趾付近であることが最も効率が良いとされている。その理由は母趾中足骨１８ａ、母趾基節骨１９ａ、母趾末節骨２０ａは他の指のそれらより大きく、また、他の指とは異なり、母趾単独で機能する筋肉の配列を有するなどがある。そして、不適切な部位をＣＯＰ終点としてしまうことはスポーツのパフォーマンス低下を生じさせるだけではなく、歩行を含めたあらゆる動作での障害や痛みの発生の原因となっている。
【００１６】
また、２足歩行を行うヒトにおいて、ＣＯＰ終点の位置、あるいは、ＣＯＰの移動速度の違いにより生じる左右の足部での蹴り出し力の違いが、下肢全体、骨盤、体幹へと捻じれとして影響を及ぼし、同様に様々な痛みなどの障害に繋がり社会問題化している。
【００１７】
本発明は、ＣＯＰ終点を母趾付近の特定の部位に誘導することによって、母趾付近の特定の部位での蹴り出し力を向上させたり、或いは、左右の足部における蹴り出し力を増減させることで、より目的に適した運動を作り出すことを可能とするものであり、主に前足部（指付近）を中心に凸部を設置することが新規な点であると言える。
【００１８】
図３は、本発明の実施の形態に係るインナーソール３０であって、（Ａ）は平面図、（Ｂ）は（Ａ）の右側面図である。また、図４は、図３（Ａ）のＸ部の拡大図である。さらに、図５は、足骨の平面図、図６は、平面視で人の足骨と第１〜第５凸部との位置関係を示す概要図である。
【００１９】
なお、図３で示すインナーソール３０は右足用のものであり、左足用は、左右対称の構成になる。そのため、以下の説明では、右足用のインナーソール３０について説明し、左足用の説明は省略する。なお、厳格に比較をすれば、利用者によって左足と右足とで左右非対称な形状（左右の足裏のばらつきにより生じるＣＯＰの移動軌跡を矯正することが必要になるため）にはなるが、それはあくまで個人差の範囲内であると仮定して、左右対称とみなして説明を進める。
また、本発明でいうインナーソールとは、完成した靴の中に利用者が別途装着して使用するもののほか、製造段階で予め備え付けられている取り外し可能なインナーソールや、靴に縫製されているインナーソールも含まれる。
【００２０】
インナーソール３０は、図３（Ａ）に示すよう、靴の内部に合わせた外形状（中底形状）に近い形状に形成されており、上面視で領域線Ｌ１、Ｌ２、Ｌ３によって６つの領域に分けられる。この領域線Ｌ１、Ｌ２、Ｌ３および領域Ａ〜Ｅの区分けは、図５に示すように、人の足骨１の構造に基づいて決定されている。
【００２１】
人の足骨１は、前後方向に３つの領域Ａ、Ｂ、Ｃに分けることができる。詳細には、前足部Ａ（第１〜第５中足骨１８、第１〜第５趾骨１９（第１〜第５とは、それぞれ、第１（母趾）、第２（示趾）、第３（中趾）、第４（環趾）、第５（小趾）をいう。趾骨とは、基節骨、中節骨、未節骨の総称）で構成される：リスフラン関節より遠位部）と、中足部Ｂ（楔状骨１１、１２、１３、立方骨１４、舟状骨１５で構成される：ショパール関節とリスフラン関節の間）と、後足部Ｃ（踵骨１７、距骨１６で構成される：ショパール関節より近位部）とである。領域線Ｌ１、Ｌ２は、これらの領域Ａ，Ｂ、Ｃを概略で分ける線である。
【００２２】
また、第２趾の頂点から踵骨最突出部を結ぶ図５の紙面略垂直に１本の領域線Ｌ３を引き、領域線Ｌ３を挟んで左右に２つの領域（内側部Ｄ、外側部Ｅ）を分ける。
図５に示した領域線Ｌ１〜Ｌ３の位置は、図３（Ａ）に示した領域線Ｌ１〜Ｌ３の位置に対応する。
【００２３】
インナーソール３０は、靴の内部形状に合わせて型取りされ、一定の厚みを有する底敷き３１と、この底敷き３１の上面３１ｂから上側に突出する内側前足部凸部群４０とで構成されている。また、この内側前足部凸部群４０は、図４に示すように、領域線Ｌ１とＬ３で仕切られた前足部Ａかつ内側部Ｄの領域内で５つの凸部（第１凸部４１、第２凸部４２、第３凸部４３、第４凸部４４、第５凸部４５）によって構成されている。
【００２４】
この凸部群４０の各凸部４１、４２、４３、４４、４５は、底敷き３１と一体に形成されており、底敷き３１を削り出すことによって所望の形状に仕上げたり、高さ寸法を調整したりしている。また、各凸部４１、４２、４３、４４、４５を底敷き３１と一体で形成しないものであってもよく、例えば、上面３１ｂが平坦な底敷き３１に、別体で構成した各凸部４１〜４５を貼り付けることで凸部群４０を構成することもできる。
【００２５】
これらの第１〜第５凸部４１、４２、４３、４４、４５は、図６に示すように、平面視で母趾の外周を包み込むように配置されている。これらの各凸部４１、４２、４３、４４、４５には、それぞれの位置、形状により、それぞれ特有の機能、効果を奏している。
【００２６】
第１凸部４１は、図３および図４に示すように、足の母趾及び２趾の間の基節骨１９ａ部付近（指と指の間かつ、指の付け根付近）に位置する。この第１凸部４１の形状は、第２趾に沿って前後に延びる一辺を有し、この一辺よりも内側に頂点を有する略３角形状に形成されている。また、第１凸部４１の寸法としては、図４の横方向（内外側の方向）に５ｍｍ〜３０ｍｍ、前後方向に５ｍｍ〜４０ｍｍ、高さ方向（厚み方向。図３（Ｂ）のＴ１寸法）に１ｍｍ〜７ｍｍの凸部になっている。
【００２７】
なお、第１凸部４１は、上述した略３角形状ではなく、例えば、四角形状、楕円形状であってもよく、利用者の母趾及び２趾の間の基節骨１９ａ部付近の形状に合わせて適宜変更することができる。
【００２８】
第２凸部４２は、第１凸部４１の前側付近を基部とし、つま先方向に延在している。この第２凸部４２の寸法は、図４の横方向（内外側の方向）に２ｍｍ〜１０ｍｍ、前後方向に５ｍｍ〜ソールつま先部先端まで、高さ方向Ｔ１で１ｍｍ〜７ｍｍの凸部になっている。
【００２９】
第２凸部４２の形状は任意であり、長方形状、楕円形状などの長尺な形状で構成される。また、第２凸部４２の基部は、第１凸部４１と必ずしも接する（連続する）必要は無く、隙間を空けて構成してあってもよい。
【００３０】
第３凸部４３は、第１凸部の内側付近を基部とし、内側方向（母趾方向）に向け母趾基節骨１９ａ部を横断するように延在している。この第３凸部４３の寸法は、図４の横方向（内外側の方向）に５ｍｍからソール内側縁まで、前後方向に２ｍｍ〜１０ｍｍ、高さ方向Ｔ１で１ｍｍ〜７ｍｍの凸部になっている。
【００３１】
この第３凸部４３の形状も、第２凸部４２と同様に任意であり、長方形状、楕円形状などの長尺な形状で構成される。また、第３凸部４３の基部は、第１凸部４１、後述する第５凸部４５、及びソール内側縁と必ずしも接する（連続する）必要は無く、隙間を空けて構成してあってもよい。
【００３２】
第４凸部４４は、母趾球後側縁付近（母趾の中足骨頭近位縁１８ａ付近）に沿うように略Ｖ字形状で構成されている。この第４凸部４４は、踵側端は最大長で内側楔状骨中央まで伸びるように配置されている。また、高さ方向Ｔ１で１ｍｍ〜１０ｍｍの凸部になっている。
【００３３】
なお、第４凸部４４のＶ字形状も任意であり、例えば、略Ｕ字、或いはそれに近い形状で構成してもよい。また、この第４凸部４４についても、上述した第１凸部４１、および後述する第５凸部４５と必ずしも接する（連続する）必要は無く、隙間を空けて構成してあってもよい。
【００３４】
第５凸部４５は、母趾球後側縁付近から、或いは、母趾趾骨内側付近からソール内側縁３１ｃの湾曲に沿って配置されている。この第５凸部４５の寸法は、図４の横方向（内外側の方向）に２ｍｍ〜１５ｍｍ、前後方向に１５ｍｍから最大でソールつま先先端まで、高さ方向Ｔ１で１ｍｍ〜７ｍｍの凸部になっている。
【００３５】
なお、第５凸部４５の形状も利用者の足形状に基づいて任意であり、例えば、ソール内側縁の湾曲に沿って接している必要はなく、ソール内側縁と隙間を空けて構成してあってもよい。また、第４凸部４４と必ずしも接する（連続する）必要はない。
【００３６】
これら第１〜第５凸部４１、４２、４３、４４、４５は、利用者の足骨の状態にあわせて、これらの凸部４１、４２、４３、４４、４５のいずれか１つのみを単独で設けることもできるし、これらのうちの２つを組み合わせ（または、３つ、４つ、５つの組み合わせ）て設けることもできる。
【００３７】
組み合わせ数を増加させることにより、母趾付近の特定の部位での蹴り出し力を増加させることができる。すなわち、組み合わせ数や、組み合わせパターンを変更することで、母趾付近の特定の部位での蹴り出し力の程度や、あるいは、母趾付近へのＣＯＰの誘導の程度を変化させることができ、目的に応じた最適動作を導くことが可能となる。従って、第１〜第５凸部４１、４２、４３、４４、４５をそれぞれ単独で用いることもあれば、組み合わせて用いることもある。
【００３８】
第１〜第５凸部４１、４２、４３、４４、４５は、足裏のアーチ形状を支える既存のインナーソール形状に付加して用いる場合や、第１〜第５凸部４１、４２、４３、４４、４５のみで構成される場合もある。ここで言う既存のインナーソール形状とは、平面形状を除く様々な目的で足裏の構造を支える形状を有する物体を指す。また、既存のインナーソール形状に付加する場合の第１〜第５凸部４１、４２、４３、４４、４５の高さとは、これら凸部を設置する直下における既存インナーソール形状の表面（上面３１ｂ平面に構成された既存インナーソール形状の表面）の高さをゼロ（起始）とし、第１〜第５凸部４１、４２、４３、４４、４５の最厚点までと定義する。
【００３９】
また、第１〜第５凸部４１、４２、４３、４４、４５凸部のみで構成される場合は、凸部を設置する直下の面（上面３１ｂ）の高さをゼロ（起始）とし、第１〜第５凸部４１、４２、４３、４４、４５の最厚点までと定義する。
さらには、既存のインナーソール形状と第１〜第５凸部４１、４２、４３、４４、４５とを一緒に削り出す場合であっても、凸部を構成する直下の面（上面３１ｂ平面に構成された、内側前足部凸部を未構成と仮定した既存インナーソール形状の表面）の高さをゼロ（起始）とし、第１〜第５凸部４１、４２、４３、４４、４５の最厚点までと定義する。
【００４０】
なお、第１〜第５凸部４１、４２、４３、４４、４５は必要に応じて組み合わせて用いることで、ユーザー特性を鑑み組み合わせ方法、横方向（内外側方向）の長さ、前後方向の長さ、高さ方向の長さ、幅等を上記数値範囲内で決定する。これら数値範囲は２５００名以上のユーザーに対して予め本特許技術を試験的に用いた結果により導き出されたものである。
【００４１】
本発明の実施の形態に係るインナーソール３０によれば、インナーソール３０の上面３１ｂを前足部Ａ、中足部Ｂ、後足部Ｃの３つの領域に区分けして、前足部Ａの領域の内側部Ｄに、インナーソール３０の上面３１ｂから上側に、或いは、下面３１ｄから下側に突出し、平面視で母趾の外周を包むようにして配置された内側前足部凸部群４０を設けているので、歩行時やスポーツ時の重心移動の際に母趾付近で蹴り出すことを促したり、蹴り出し力を向上させることができる。
【００４２】
また、内側前足部凸部群４０は、足の母趾及び２趾の間の基節骨１９ａ部付近に配置された第１凸部４１と、第１凸部４１からつま先方向に延びる第２凸部４２と、第１凸部４１から母趾基節骨１９ａを横断するように母趾方向に延びる第３凸部４３とのいずれかを備えることで、このような第１凸部４１、第２凸部４２、第３凸部４３は、足袋や、サンダルの鼻緒による指の意識向上と似た原理によって、母趾と２指の間を認識し易くなる。この原理の脳科学的考察としては、足底、特に、普段の靴内部では凸部を感じることが少ない指付近において部分的圧の変化が生じると、足の裏の感覚受容器が興奮し、第１〜第３凸部４１、４２、４３の存在を認識する。認識された感覚は大脳内で処理され、最終的にこれらの凸部４１、４２、４３による感覚への感度が向上する。また、これらの凸部４１、４２、４３による効能を記憶及び理解する大脳の領域による予測的な反応により、さらに足の裏の感覚受容器の感度は増幅される。これら生体反応により、凸部４１、４２、４３付近を踏み込む動作へと誘導することが可能と考えられる。
【００４３】
また、第１〜第３凸部４１、４２、４３からの圧迫が長時間続くと逆に慣れとして、凸部４１、４２、４３の認識が低下する。しかし、認識が低下した場合でもその感覚情報は常に脳に送り続けられている（凸部４１、４２、４３を認識している場合とは異なる脊髄経路を通って脳へ情報が伝達される。）。この情報は小脳を中心に処理され、運動の質、効率、正確性の学習を促す効果が期待できる。
【００４４】
さらに、内側前足部凸部群４０は、母趾球後側縁付近に沿うよう配置された第４凸部４４を備えることで、このような第４凸部４４は、母趾球後側縁を安定させ、母趾による効率的な踏み出しを補助するとともに、構造的安定を与える。また、第４凸部４４による圧迫により足底に存在し母趾による踏み込み（求心性の底屈と遠心性の底屈）を作り出す筋肉（長母指屈筋、母趾外転筋、母趾内転筋、短母趾屈筋）の筋長を増大させる（ピンと張らせる）ことで収縮力を向上させることができる。これは図７に示す筋長と張力の関係のグラフより説明ができる。筋肉は緩んだ状態より張った状態の方が総合的な筋張力は向上する。これら生理学的特徴を応用することで足の裏に設置した第４凸部４４により母趾付近での蹴り出しをより力強く、或いは、潜在能力を引き出し自然と力が発揮できるよう促すことが可能となる。
【００４５】
さらに、内側前足部凸部群４０は、母趾球後側縁付近、或いは、母趾趾骨内側付近から当該インナーソールの内側縁３１ｃの湾曲に沿って配置された第５凸部４５を備えることで、このような第５凸部４５は、母趾の内側縁を安定させ母趾付近での蹴り出しを促すよう作用する。母趾全体は丸い構造をして靴の内部では母趾の底部全体は接地しない。そこで、第５凸部４５を母趾内側部に設置することで、母趾の接地面積が内側方向へ広がることで蹴り出しを助ける。この凸部はつま先方向への蹴り出しだけではなく、ゴルフの競技特性の様に、母趾の内側部分で踏み込む動作時にも有効である。
【００４６】
また、これらの第１〜第５凸部４１、４２、４３、４４、４５を組み合わせることで、母趾付近の特定の部位から前方や内側方向への蹴り出しを誘導したり、母趾付近そのものの構造を安定させることができるようになる。スポーツや日常生活動作の多くが身体重心を前方方向及び内側方向へ移動させる要素を含んだ動作であることから、様々な領域で応用可能な新規的技術であると言える。
【００４７】
以上、本発明の実施の形態に係るインナーソール３０について述べたが、本発明は既述の実施形態に限定されるものではなく、本発明の技術思想に基づいて各種の変形および変更が可能である。
【００４８】
例えば、本実施の形態では、第１〜第５凸部４１、４２、４３、４４、４５を底敷き３１の上面３１ｂから上側に突出させているが、底敷き３１の下面３１ｄ（図３（Ａ）における紙面奥側の面であり、下側に突出させる場合の各凸部の高さを定義する基点となる面）から下側に突出させるようにしてもよい。すなわち、第１〜第５凸部４１、４２、４３、４４、４５の機能で、母趾付近の知覚や感覚が向上し、また、母趾部付近の骨の安定や筋張力増大が得られるような構成であればよい。
【００４９】
また、本実施の形態では、靴の中敷きとして装着されるインナーソール３０について説明したが、ミッドソールとして履物に一体に具備されるものに内側前足部凸部群４０（第１〜第５凸部４１、４２、４３、４４、４５）を設けることもできる。ここで、ミッドソールとは、例えば、サンダルの足裏と接する部分のように、インナーソール３０を介さずに足裏が直接に履物と接する部材をいう。このような内側前足部凸部群４０を具備したミッドソールを有する履物であっても、上述したインナーソール３０と同様に、内側前足部凸部群４０によってインナーソールの場合と同様の機序により母趾付近の特定の部位で蹴り出すことを促したり、蹴り出し力を向上させることができる。
【符号の説明】
【００５０】
１  足骨
１１、１２、１３  楔状骨
１４  立方骨
１５  舟状骨
１６  距骨
１７  踵骨
１８  第１〜第５中足骨
１８ａ  母趾中足骨
１９  第１〜第５趾骨
１９ａ  母趾基節骨
２０ａ  母趾末節骨
２２  模擬股関節
２３  模擬膝関節
２４  模擬足関節
２５  足
２６  身体重心
３０  インナーソール
３１  底敷き
３１ａ  外側縁部
３１ｂ  上面
３１ｃ  内側縁部
３１ｄ  下面
４０  内側前足部凸部群
４１  第１凸部
４２  第２凸部
４３  第３凸部
４４  第４凸部
４５  第５凸部
Ａ  前足部
Ｂ  中足部
Ｃ  後足部
Ｄ  内側部
Ｅ  外側部
Ｌ１、Ｌ２、Ｌ３  領域線
ＬＦ  左足
ＲＦ  右足
Ｔ１  高さ寸法
Ｗ１  荷重
Ｗ２  床反力
Ｙ  ＣＯＰの移動軌跡
Ｚ  身体重心の移動軌跡
【要約】      （修正有）【課題】母趾付近の特定の部位で蹴り出すことを促したり、蹴り出し力を向上させるためのインナーソールまたは履物を提供する。【解決手段】前足部Ａの領域の内側部Ｄに、インナーソール３０の上面３１ｂから上側に、或いは、下面３１ｄから下側に突出し、平面視で母趾の外周を包むようにして配置された内側前足部凸部群４０を設けた。また、内側前足部凸部群４０は、足の母趾及び２趾の間の基節骨部付近に配置された第１凸部と、第１凸部からつま先方向に延びる第２凸部と、第１凸部から母趾基節骨を横断するように母趾方向に延びる第３凸部と、母趾球後側縁付近に沿うよう配置された第４凸部と、母趾球後側縁付近から当該インナーソールの内側縁の湾曲に沿って配置された第５凸部と、のいずれか１つまたは２つ以上の組み合わせによって構成される。【選択図】図３【図１】
0006865916.tif 000002
【図２】
0006865916.tif 000003
【図３】
0006865916.tif 000004
【図４】
0006865916.tif 000005
【図５】
0006865916.tif 000006
【図６】
0006865916.tif 000007
【図７】
0006865916.tif 000008